(57)【特許請求の範囲】
【請求項１】
イオン交換塔に充填されていた飽和イオン交換樹脂を収容して、集中再生工場に移送し、かつ、集中再生工場で再生された再生済みイオン交換樹脂を収容して、イオン交換塔に充填するイオン交換樹脂移動容器であって、
容器本体と、容器本体内に装着され、イオン交換樹脂を保持するとともに水を透過するフィルター部材と、容器本体内に水を注入するための配管と、容器本体内に収容され、フィルター部材に保持された再生済みイオン交換樹脂を容器本体内からイオン交換塔に払い出すための払い出し配管と、容器本体内に注入された水を、フィルター部材を通して排水するための出口配管と、イオン交換塔からの飽和イオン交換樹脂を前記移動容器内に充填しフィルター部材に保持するための充填配管とを具備したことを特徴とするイオン交換樹脂移動容器。
【請求項２】
イオン交換塔と、イオン交換塔に充填されていた飽和イオン交換樹脂を収容して、集中再生工場に移送し、かつ、集中再生工場で再生された再生済みイオン交換樹脂を収容して、イオン交換塔に充填するイオン交換樹脂移動容器とを具備し、イオン交換塔は、イオン交換塔内に原液を入れる原液入口配管と、イオン交換塔内のイオン交換樹脂で処理された処理水の出口配管と、イオン交換塔内に前記移動容器からの再生済みイオン交換樹脂を充填する充填配管と、イオン交換塔内の飽和イオン交換樹脂を前記移動容器内に払い出す払い出し配管と、イオン交換塔に水を注入する配管と、イオン交換樹脂をイオン交換塔内に保持するとともに水を透過するフィルター部材を具備し、イオン交換樹脂移動容器は、イオン交換樹脂を容器内に保持するとともに水を透過するフィルター部材と、容器内に水を注入する配管と、フィルター部材に保持されている再生済みイオン交換樹脂を容器内からイオン交換塔へ払い出す払い出し配管と、注入された容器内の水をフィルター部材を通して排水する出口配管と、イオン交換塔からの飽和イオン交換樹脂を前記移動容器内に充填してフィルター部材に保持する充填配管とを具備したことを特徴とするイオン交換樹脂移動装置。
【発明の詳細な説明】
【０００１】
【発明の属する技術分野】
本発明は、工場排水処理、或いは工程で使用するイオン交換水の製造、その他の目的でイオン交換塔を備えて通液している場所と、イオン交換樹脂の集中再生工場間において、再生済みのイオン交換樹脂、及び飽和状態のイオン交換樹脂の移動、特にイオン交換塔からイオン交換樹脂移動容器間の移動装置及び移動方法に関する。
【０００２】
【従来の技術】
イオン交換樹脂は、排水処理工程における有害イオンの除去、或は処理水の循環使用、半導体工場で使用する高純水としてのイオン交換水製造など、あらゆる産業分野で使用されている。しかしイオン交換樹脂は通常、通液、再生を繰り返して使用するため、再生操作が必要である。再生操作については、現地で行う方法によるイオン交換塔（以下定置式イオン交換塔と称す）とイオン交換塔を１つのパッケージとして扱い、集中再生工場で再生を行う方法によるイオン交換塔（以下可搬式イオン交換塔と称す）に分類される。
【０００３】
定置式イオン交換塔の場合、充填するイオン交換樹脂量を大きくすることが出来る利点がある反面、飽和したイオン交換樹脂の再生を現地で実施する際、酸及びアルカリ等有害な再生剤を扱うためこの予防措置が必要であること、排水処理における有害イオンの除去においては再生液に有害イオンが含まれるためこの処理が必要である。また通液の際、液中夾雑物がイオン交換樹脂に付着するためそのまま再生すると再生不十分になり得るため、再生時にはこの夾雑物を除く必要がある。このような機能を具備した再生設備が必要なため設備費が高くなり、また再生に係る人件費等が係ること等の欠点があった。
【０００４】
可搬式イオン交換塔においては、再生を集中再生工場で行うため前記の欠点は解消されるものの、トラック等で輸送する場合、可搬式イオン交換塔の大きさは制限される。またイオン交換塔で処理する液のイオン濃度が高い場合にはイオン交換塔の飽和が早く、頻繁に交換することが必要であった。
【０００５】
更に可搬式イオン交換塔は輸送において強度を持たせるため通常ステンレス等の金属製で出来ており、或は樹脂製の場合は保護のための容器を必要とするため、輸送コストがかかる問題があった。
【０００６】
【発明が解決しようとする課題】
本発明は上記事情に鑑みてなされたもので、工程が簡単で費用も安価にイオン交換樹脂を移動できる方法を提供することを課題とする。
【０００７】
【課題を解決するための手段】
本発明はこの課題を解決するためになされたもので、
【０００８】
（１） イオン交換塔に充填されていた飽和イオン交換樹脂を収容して、集中再生工場に移送し、かつ、集中再生工場で再生された再生済みイオン交換樹脂を収容して、イオン交換塔に充填するイオン交換樹脂移動容器であって、
容器本体と、容器本体内に装着され、イオン交換樹脂を保持するとともに水を透過するフィルター部材と、容器本体内に水を注入するための配管と、容器本体内に収容され、フィルター部材に保持された再生済みイオン交換樹脂を容器本体内からイオン交換塔に払い出すための払い出し配管と、容器本体内に注入された水を、フィルター部材を通して排水するための出口配管と、イオン交換塔からの飽和イオン交換樹脂を前記移動容器内に充填しフィルター部材に保持するための充填配管とを具備したことを特徴とするイオン交換樹脂移動容器。
【０００９】
（２） イオン交換塔と、イオン交換塔に充填されていた飽和イオン交換樹脂を収容して、集中再生工場に移送し、かつ、集中再生工場で再生された再生済みイオン交換樹脂を収容して、イオン交換塔に充填するイオン交換樹脂移動容器とを具備し、イオン交換塔は、イオン交換塔内に原液を入れる原液入口配管と、イオン交換塔内のイオン交換樹脂で処理された処理水の出口配管と、イオン交換塔内に前記移動容器からの再生済みイオン交換樹脂を充填する充填配管と、イオン交換塔内の飽和イオン交換樹脂を前記移動容器内に払い出す払い出し配管と、イオン交換塔に水を注入する配管と、イオン交換樹脂をイオン交換塔内に保持するとともに水を透過するフィルター部材を具備し、イオン交換樹脂移動容器は、イオン交換樹脂を容器内に保持するとともに水を透過するフィルター部材と、容器内に水を注入する配管と、フィルター部材に保持されている再生済みイオン交換樹脂を容器内からイオン交換塔へ払い出す払い出し配管と、注入された容器内の水をフィルター部材を通して排水する出口配管と、イオン交換塔からの飽和イオン交換樹脂を前記移動容器内に充填してフィルター部材に保持する充填配管とを具備したことを特徴とするイオン交換樹脂移動装置。
【００１１】
を提供することにある。
【００１２】
【発明の実施の形態】
以下、本発明の実施の形態を詳細に説明する。
【００１３】
本発明者は、イオン交換樹脂の形状、物性を調査することにより、イオン交換樹脂の移動装置及び移動方法を開発した。すなわち通常イオン交換塔へのイオン交換樹脂の充填はイオン交換塔の上部蓋を開きその上部から再生したイオン交換樹脂を投入する、また払い出しは、イオン交換塔を吊り上げ傾斜して払い出す或は、バケツの如き容器で行う方法が通常であるが、作業性も悪く安全面でも問題があった。
【００１４】
また、水を加えてイオン交換樹脂を懸濁状態にしポンプによって移動する方法もあるが、この場合、ポンプの駆動部分によって、イオン交換樹脂の粒子が破壊されてしまう現象が生じた。更に真空ポンプによりイオン交換樹脂を吸引して移動する方法もあるが、この場合真空に耐えうるレシーバータンク等必要であり、設備費がかかる等の課題を持っている。
【００１５】
本発明では、再生済みイオン交換樹脂をイオン交換樹脂移動容器からイオン交換塔に充填する工程と、飽和したイオン交換樹脂をイオン交換塔からイオン交換樹脂移動容器に払い出す工程とをイオン交換樹脂の形態を維持したままで移動可能なポンプ（例えばチューブポンプ）でおこなうようにし、そして、飽和したイオン交換樹脂の再生を集中再生するようにした。チューブポンプ等を用いることにより、イオン交換樹脂の粒子を破壊することなくイオン交換樹脂の移動が可能である。更にイオン交換塔の上部にバルブを設置した配管を設けることのよりイオン交換塔の上蓋を開けることなく移動容器から再生済みのイオン交換樹脂を移動することが出来る。更にイオン交換樹脂を移動する際に使用する水については通常の通液の際の出口側のバルブを開くことによりイオン交換樹脂と分離が可能である。
【００１６】
【実施例】
以下本発明の実施例に従って図面を参照して具体的に説明する。
【００１７】
まず、イオン交換樹脂のイオン交換塔から移動容器への移動について説明する。図１は、再生樹脂をイオン交換塔へ充填する際の配置を示したもので、この装置はイオン交換塔（１０）とイオン交換樹脂移動容器（２０）とをチューブポンプ（３０）を介して配置している。
【００１８】
イオン交換塔（１０）にはバルブV-０１を付設した入り口配管（１１）、バルブV-０２を付設した出口配管（１２）、バルブV-０９を付設した空気抜き配管（１３）の他に、バルブV-０４を付設した再生済みイオン交換樹脂充填配管（１４）、バルブV-０５を付設した飽和イオン交換樹脂払い出し配管（１５）、バルブV-０３を付設した水供給配管（１６）が、更に上部及び下部にろ布からなるフィルター部材（１７）、（１７）が取り付けられている。
【００１９】
一方イオン交換樹脂移動容器（２０）には、バルブV-０６を付設した再生イオン交換樹脂を払い出す配管（２１）、バルブV-０８及び容器内にフィルター部材（２４）を付設した水抜き配管（２２）を取り付けてある。またイオン交換の移動に供する設備としてバルブV-０７を付設した移動容器内への水供給配管（２３）を設けている。更には再生イオン交換樹脂を払い出す配管（２１）と再生済みイオン交換樹脂充填配管（１４）とがチューブポンプ（３０）を介して接続されている。
【００２０】
再生済みのイオン交換樹脂をイオン交換塔へ充填する際は、図１に示すバルブV-０４、バルブV-０６、バルブV-０９を開き、バルブV-０１、バルブV-０２、バルブV-０３、バルブV-０５、バルブV-０７、バルブV-０８を閉じる。続いてバルブV-０２を開きチューブポンプ（３０）を起動させると同時にバルブV-０７を開いて移動容器（２０）内にその開口上部から水を供給するとともに移動容器（２０）内の再生済み樹脂をイオン交換塔（１０）に移動する。この際イオン交換塔（１０）に入った水は出口配管（１２）から流出するが、イオン交換樹脂は下部のフィルター部材２４（ろ布）によって固定される。イオン交換塔への再生済みイオン交換樹脂の充填が終了した時点でチューブポンプ（３０）を停止しバルブV-０４、バルブV-０９、バルブV-０２、バルブV-０６、バルブV-０７、を閉じ、常法に従ってイオン交換塔に充填されたイオン交換樹脂間の空気を抜いた後通液を開始する。
【００２１】
図２は、飽和樹脂のイオン交換塔から払い出す際の配置を示したものである。ここでは、飽和イオン交換樹脂払い出し配管（１５）をチューブポンプ（３０）を介してイオン交換塔からの飽和イオン交換樹脂を充填する配管（２５）に接続している。この配管（２５）の先端は移動容器（２０）の開口上部に挿入されている。飽和したイオン交換樹脂をイオン交換塔から払い出す際は、図２に示すバルブV-０５、バルブV-０８、バルブＶ−０９を開き、バルブV-０１、バルブV-０２、バルブV-０３、バルブV-０４、バルブV-０６、バルブV-０７を閉じる、チューブポンプ（３０）を起動させると同時にバルブV-０３を開き、水といっしょに飽和したイオン交換樹脂をイオン交換塔から移動容器（２０）に移送する。この際移動容器に入った樹脂はフィルター（１４）により残るが、水は排出される。
【００２２】
【発明の効果】
以上記述したように、本発明によれば、特定のイオン交換塔及び移動容器を用いることにより、イオン交換塔の蓋を開閉することなくイオン交換樹脂の充填、払い出しが可能となり、定置式イオン交換塔においても、再生は集中再生工場で行うことが可能となり、イオン交換塔設置コストを低減することが可能となる顕著な効果を発揮する。
【図面の簡単な説明】
【図１】再生樹脂のイオン交換塔への充填状態を示す説明図。
【図２】飽和樹脂のイオン交換塔からの払い出しを示す説明図。
【符号の説明】
１０．．．イオン交換塔
１１．．．入り口配管
１２．．．出口配管
１３．．．空気抜き配管
１４．．．再生済みイオン交換樹脂充填配管
１５．．．飽和イオン交換樹脂払い出し配管
１６．．．水供給配管
１７．．．フィルター部材
２０．．．イオン交換樹脂移動容器
２１．．．イオン交換樹脂を払い出す配管
２２．．．水抜き配管
２３．．．水供給配管
２４．．．フィルター部材
２５．．．イオン交換塔からの飽和イオン交換樹脂を充填する配管
３０．．．チューブポンプ
Ｖ−０１〜Ｖ−０９．．．バルブ
【図１】
0003961199.tif 000002
【図２】
0003961199.tif 000003